(57)【要約】      （修正有）【課題】偏りが出ず、その物質の移動により平面的だけでなく立体的に身体のマッサージ効果あげ、物や人の動き・体型などにあわせて効果を科学的に計算・立証することが出来るようにする。【解決手段】１又は複数の出入り口や仕切り弁を設け、複数の球形または異形のゴム等弾力性のある物質または空気とともに複数の球形または異形のゴム等弾力性のある物質を封入し、その複数の球形または異形のゴム等弾力性のある物質または空気とともに複数の球形または異形のゴム等弾力性のある物質が荷重や体重移動等による負荷で自由又は思考された方法で平面的及び立体的に１又は複数の出入り口や仕切り弁から移動できることを特徴とする内部構造のシート状製品及び成果物する。【選択図】図１
0003128713.tif 000002
【実用新案登録請求の範囲】
【請求項１】
１又は複数の出入り口や仕切り弁を設け、複数の球形または異形のゴム等弾力性のある物質または空気とともに複数の球形または異形のゴム等弾力性のある物質を封入し、その複数の球形または異形のゴム等弾力性のある物質または空気とともに複数の球形または異形のゴム等弾力性のある物質が荷重や体重移動等による負荷で自由又は思考された方法で平面的及び立体的に１又は複数の出入り口や仕切り弁から移動できることを特徴とするシート状製品及び成果品。
【請求項２】
１又は複数の出入り口や仕切り弁を設け、複数の球形または異形の弾力性の乏しい物質または空気とともに複数の球形または異形の弾力性の乏しい物質を封入し、その複数の球形または異形の弾力性の乏しい物質または空気とともに複数の球形または異形の弾力性の乏しい物質が荷重や体重移動等による負荷で自由又は思考された方法で平面的及び立体的に１又は複数の出入り口や仕切り弁から移動できることを特徴とする内部構造のシート状製品及び成果品。
【請求項３】
１又は複数の出入り口や仕切り弁を設け、水などの流体または空気とともに水などの流体を封入し、その水などの流体または空気とともに水などの流体が荷重や体重移動等による負荷で自由又は思考された方法で平面的及び立体的に１又は複数の出入り口や仕切り弁から移動できることを特徴とする内部構造のシート状製品及び成果品。
【請求項４】
１又は複数の出入り口や仕切り弁を設け、粘性のある物質または空気とともに粘性のある物質を封入し、その粘性のある物質または空気とともに粘性のある物質が荷重や体重移動等による負荷で自由又は思考された方法で平面的及び立体的に１又は複数の出入り口や仕切り弁から移動できることを特徴とする内部構造のシート状製品及び成果品。
【請求項５】
１又は複数の出入り口や仕切り弁を設け、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質との任意の組み合わせたものを封入し、その任意の組み合わせたものが荷重や体重移動等による負荷で自由又は思考された方法で平面的及び立体的に１又は複数の出入り口や仕切り弁から移動できることを特徴とするシート状製品及び成果品。
【請求項６】
請求項１〜５のいずれか１項に記載の内部構造による立体的製品及び成果品。
【考案の詳細な説明】
【技術分野】
【０００１】  本考案は、負荷による緩衝と物質移動効果のある履物などの製品に関する。
【背景技術】
【０００２】  従来、足裏のつぼを刺激したり、緩衝による疲れ予防に健康サンダルや低反発マットレス・ゲル状シート製品などがある。【０００３】  例えば、特願２００１−２１７３４５では靴の中敷の表面に突起をつけたものがある。【０００４】  又、特開２００５−２１１０９８号公報には、足裏の特定部位に対して押圧による刺激を与える隆起部内に粒状物質又は粉状物質を充填し、足ツボ効果をうたっている。【０００５】  さらに、特開２００２−３１５６０６号公報には、履物の内部構造として履物の内底部上面に、該内底部上面を区画する複数の袋状部を形成し、該袋状部内に弾性体からなる粒状体を封入したことを特徴にしたことをうたっている。【０００６】  また、これまで枕・敷布団などに熱放射とツボ刺激などの効果をうたい、全体や複数の区画された袋状部内に複数のウレタンや筒状の弾性体が入ったものがある。
【特許文献１】特願２００１−２１７３４５号公報
【特許文献２】特開２００５−２１１０９８号公報
【特許文献３】特開２００２−３１５６０６号公報
【特許文献４】特開２００３−１４４２０４号公報
【特許文献５】特開２００３−２０１２４４号公報
【特許文献６】特開平１１−１９６９０５号公報
【特許文献７】特開２００６−０３４７６７号公報
【考案の開示】
【考案が解決しようとする課題】
【０００７】  特開２００２−３１５６０６号公報に記載してあるごとく、特願２００１−２１７３４５などの多数の突起をつけ足裏を押圧して刺激を与えるものは、刺激する位置が変わらず長期間の使用に耐えがたい。【０００８】  また、特開２００２−３１５６０６号公報に記載してあるごとく、これまでの靴の敷物・枕・敷布団など熱放射とツボ刺激などの効果をうたい押圧して刺激を与える部材を移動可能にしたものは、偏りなどが出て刺激する位置が逆に不安定となりすぎるという問題があった。【０００９】  さらに、特開２００２−３１５６０６号公報の方法では、記載のごとく足裏を押圧して刺激を与える部材は該袋状部範囲内を移動するにとどまり、しかも二次元的移動である。
【課題を解決するための手段】
【００１０】  上記の課題を解決するために１又は複数の出入り口や仕切り弁を設け、複数の球形または異形のゴム等弾力性のある物質または空気とともに複数の球形または異形のゴム等弾力性のある物質を封入し、その複数の球形または異形のゴム等弾力性のある物質または空気とともに複数の球形または異形のゴム等弾力性のある物質が荷重や体重移動等による負荷で自由又は思考された方法で平面的及び立体的に１又は複数の出入り口や仕切り弁から移動できることを特徴とするシート状製品や立体的製品及び成果品にする。【００１１】  また、１又は複数の出入り口や仕切り弁を設け、複数の球形または異形の弾力性の乏しい物質または空気とともに複数の球形または異形の弾力性の乏しい物質を封入し、その複数の球形または異形の弾力性の乏しい物質または空気とともに複数の球形または異形の弾力性の乏しい物質が荷重や体重移動等による負荷で自由又は思考された方法で平面的及び立体的に１又は複数の出入り口や仕切り弁から移動できることを特徴とする内部構造のシート状製品や立体的製品及び成果品にする。【００１２】  さらに、１又は複数の出入り口や仕切り弁を設け、水などの流体または空気とともに水などの流体を封入し、その水などの流体または空気とともに水などの流体が荷重や体重移動等による負荷で自由又は思考された方法で平面的及び立体的に１又は複数の出入り口や仕切り弁から移動できることを特徴とする内部構造のシート状製品や立体的製品及び成果品にする。【００１３】  そして、１又は複数の出入り口や仕切り弁を設け、粘性のある物質または空気とともに粘性のある物質を封入し、その粘性のある物質または空気とともに粘性のある物質が荷重や体重移動等による負荷で自由又は思考された方法で平面的及び立体的に１又は複数の出入り口や仕切り弁から移動できることを特徴とする内部構造のシート状製品や立体的製品及び成果品にする。【００１４】  加えて、１又は複数の出入り口や仕切り弁を設け、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質との任意の組み合わせたものを封入し、その任意の組み合わせたものが荷重や体重移動等による負荷で自由又は思考された方法で平面的及び立体的に１又は複数の出入り口や仕切り弁から移動できることを特徴とするシート状製品や立体的製品及び成果品にする。
【考案の効果】
【００１５】  考案した内部構造の敷布団においては、寝返りなどの体重移動により内部の物質が１又は複数の出入り口や仕切り弁から他の部位に移動しさらに移動した部位内の物質も体重移動にあった移動がなされ、その物質の移動により平面的だけでなく立体的に身体のマッサージ効果あげる。【００１６】  その人の動きや体型などにあわせて効果的な１又は複数の出入り口や仕切り弁の構造や出入り量の調節および封入物質選定が科学的に計算することも出来る。【００１７】  その製品や成果物として枕などの寝具・リストバンドなどのスポーツ用具・緩衝材としての自動車部品や家電部品・文具・家具・履物・健康器具などこの考案での利用ができる。
【考案を実施するための最良の形態】
【００１８】  １又は複数の出入り口や仕切り弁を設け、複数の球形または異形のゴム等弾力性のある物質または空気とともに複数の球形または異形のゴム等弾力性のある物質を封入し、その複数の球形または異形のゴム等弾力性のある物質または空気とともに複数の球形または異形のゴム等弾力性のある物質が荷重や体重移動等による負荷で自由又は思考された方法で平面的及び立体的に１又は複数の出入り口や仕切り弁から移動できることを特徴とする内部構造のシート状製品や立体的製品及び成果品にする。【００１９】  また、１又は複数の出入り口や仕切り弁を設け、複数の球形または異形の弾力性の乏しい物質または空気とともに複数の球形または異形の弾力性の乏しい物質を封入し、その複数の球形または異形の弾力性の乏しい物質または空気とともに複数の球形または異形の弾力性の乏しい物質が荷重や体重移動等による負荷で自由又は思考された方法で平面的及び立体的に１又は複数の出入り口や仕切り弁から移動できることを特徴とする内部構造のシート状製品や立体的製品及び成果品にする。【００２０】  さらに、１又は複数の出入り口や仕切り弁を設け、水などの流体または空気とともに水などの流体を封入し、その水などの流体または空気とともに水などの流体が荷重や体重移動等による負荷で自由又は思考された方法で平面的及び立体的に１又は複数の出入り口や仕切り弁から移動できることを特徴とする内部構造のシート状製品や立体的製品及び成果品にする。【００２１】  そして、１又は複数の出入り口や仕切り弁を設け、粘性のある物質または空気とともに粘性のある物質を封入し、その粘性のある物質または空気とともに粘性のある物質が荷重や体重移動等による負荷で自由又は思考された方法で平面的及び立体的に１又は複数の出入り口や仕切り弁から移動できることを特徴とする内部構造のシート状製品や立体的製品及び成果品にする。【００２２】加えて、１又は複数の出入り口や仕切り弁を設け、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質との任意の組み合わせたものを封入し、その任意の組み合わせたものが荷重や体重移動等による負荷で自由又は思考された方法で平面的及び立体的に１又は複数の出入り口や仕切り弁から移動できることを特徴とするシート状製品や立体的製品及び成果品にする。
【実施例】
【００２３】  粒状のエラストマーを複数の出入り口や仕切り弁を設けた敷布団に封入し、一週間その上で寝たところ、封入物質の偏りもなく体型にそった物質の移動があり体全体にマッサージ効果があり、安眠できた。【００２４】  複数の調整穴の開いた出入り口を設け、粘性のある物質を封入した厚み２０ミリのシートを作り、その上から物を落とした結果、衝撃を和らげる効果がみられた。
【産業上の利用可能性】
【００２５】その製品や成果品として枕などの寝具・リストバンドなどのスポーツ用具・家電部品・文具・家具・履物・敷物・健康器具など緩衝効果・マッサージ効果・疲労防止用品に活用できる。【００２６】  バンパーなど緩衝効果が必要な自動車部品・体操用マットなど落下した際の安全と緩衝効果が必要とされるもの及び追突や衝撃を和らげる効果が必要な製品に使える。
【図面の簡単な説明】
【００２７】
【図１】  複数の出入り口や仕切り弁を設けた敷布団に粒状のエラストマーを封入した平面図である。
【図２】  複数の出入り口や仕切り弁を設けた敷布団に粒状のエラストマーを封入した正面図である。
【図３】  複数の出入り口や仕切り弁を設けた敷布団に粒状のエラストマーを封入した枕に人が上を向いて寝ている概略図である。
【図４】  複数の出入り口や仕切り弁を設けた敷布団に粒状のエラストマーを封入した枕に人が寝返りをうった概略図である。
【符号の説明】
【００２８】  １  複数の出入り口や仕切り弁を設けた敷布団
２  封入された粒状のエラストマー
３  仕切り
４  出入り口や仕切り弁
５  複数の出入り口や仕切り弁を設けた枕
６  人間の頭
【図１】
0003128713.tif 000003
【図２】
0003128713.tif 000004
【図３】
0003128713.tif 000005
【図４】
0003128713.tif 000006
【手続補正書】
【提出日】平成18年10月4日(2006.10.4)
【手続補正１】
【補正対象書類名】実用新案登録請求の範囲
【補正対象項目名】全文
【補正方法】変更
【補正の内容】
【実用新案登録請求の範囲】
【請求項１】
１又は複数の出入り口や仕切り弁を設け、複数の球形または異形のゴム等弾力性のある物質または空気とともに複数の球形または異形のゴム等弾力性のある物質を封入し、その複数の球形または異形のゴム等弾力性のある物質または空気とともに複数の球形または異形のゴム等弾力性のある物質が荷重や体重移動等による負荷で自由又は思考された方法で平面的及び立体的に１又は複数の出入り口や仕切り弁から移動できることを特徴とするシート状製品
【請求項２】
１又は複数の出入り口や仕切り弁を設け、複数の球形または異形の弾力性の乏しい物質または空気とともに複数の球形または異形の弾力性の乏しい物質を封入し、その複数の球形または異形の弾力性の乏しい物質または空気とともに複数の球形または異形の弾力性の乏しい物質が荷重や体重移動等による負荷で自由又は思考された方法で平面的及び立体的に１又は複数の出入り口や仕切り弁から移動できることを特徴とする内部構造のシート状製品。
【請求項３】
１又は複数の出入り口や仕切り弁を設け、水などの流体または空気とともに水などの流体を封入し、その水などの流体または空気とともに水などの流体が荷重や体重移動等による負荷で自由又は思考された方法で平面的及び立体的に１又は複数の出入り口や仕切り弁から移動できることを特徴とする内部構造のシート状製品
【請求項４】
１又は複数の出入り口や仕切り弁を設け、粘性のある物質または空気とともに粘性のある物質を封入し、その粘性のある物質または空気とともに粘性のある物質が荷重や体重移動等による負荷で自由又は思考された方法で平面的及び立体的に１又は複数の出入り口や仕切り弁から移動できることを特徴とする内部構造のシート状製品
【請求項５】
１又は複数の出入り口や仕切り弁を設け、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質との任意の組み合わせたものを封入し、その任意の組み合わせたものが荷重や体重移動等による負荷で自由又は思考された方法で平面的及び立体的に１又は複数の出入り口や仕切り弁から移動できることを特徴とするシート状製品。
【請求項６】
請求項１〜５のいずれか１項に記載の内部構造による立体的製品。